(57)【要約】【課題】簡単な構造により曇りを長期間安定的に防止することができるようにすること。【解決手段】鉛直方向に沿って表面が位置するミラー本体１５と、このミラー本体１５の外周縁に沿う位置に設けられた管体１６と、この管体１６に形成された吐水部１７とを備えてミラー装置１１が構成されている。吐水部１７は、管体１６を形成する横管部２１に所定間隔を隔てて複数形成されている。吐水部１７は、ミラー本体１５の上端部に沿って位置しており、管体１６内の水をミラー本体１５の表面に向かって吐出可能に設けられている。【選択図】図１
2007135664.tif 000002
【特許請求の範囲】
【請求項１】
鉛直方向に沿って表面が位置するミラー本体と、このミラー本体の上側に設けられた吐水部とを備え、
前記吐水部は、ミラー本体の表面に向かって水を吐出可能に設けられていることを特徴とするミラー装置。
【請求項２】
前記ミラー本体の外周に沿う位置には、吐水部に水を供給する管体が設けられていることを特徴とする請求項１記載のミラー装置。
【請求項３】
前記吐水部は、ミラー本体の上端に沿う位置に所定間隔を隔てて複数設けられていることを特徴とする請求項１又は２記載のミラー装置。
【請求項４】
前記ミラー本体の下端側には、水受け部材が設けられ、この水受け部材は、ミラー本体の表面を流れた水を所定位置に排水可能に設けられていることを特徴とする請求項１，２又は３記載のミラー装置。
【請求項５】
前記ミラー本体は、所定の壁面に取付部を介して支持され、この取付部は、ミラー本体の外周側を保持するとともに、前記管体及び水受け部材に連なって設けられていることを特徴とする請求項４記載のミラー装置。
【発明の詳細な説明】
【技術分野】
【０００１】
本発明は、ミラー装置に係り、更に詳しくは、ミラー表面の曇りを防止することができるミラー装置に関する。
【背景技術】
【０００２】
従来より、浴室等において用いられるミラーとして、その表面が湯気や蒸気によって曇ることを抑制可能に設けられたものが知られている（例えば、特許文献１及び２参照）。特許文献１では、ミラーの裏面側に発熱体を設け、当該発熱体を介してミラー表面を加熱することで曇りを防止するようになっている。また、特許文献２は、ミラーの表面に貼り付けるフィルムを開示しており、このフィルムによりミラーの結露防止効果が発揮される。
【０００３】
【特許文献１】実開平５−７１７０号公報
【特許文献２】特開平８−６６９９１号公報
【発明の開示】
【発明が解決しようとする課題】
【０００４】
しかしながら、特許文献１にあっては、発熱体を発熱させるため、電力の消費が不可避となり、ランニングコストの負担が大きくなる。また、ミラーを浴室に設置する場合、発熱体等の電気設備の止水処理が複雑且つ面倒になるという不都合を生じる。しかも、ミラーに対して加熱及び冷却が繰り返し行われるので、ミラーにストレスがかかり、ミラーの破損の原因になるという不都合もある。
特許文献２にあっては、結露防止効果を持続させるため、定期的にメンテナンスを行うことが必要となり、また、当該メンテナンスを行っても、結露防止効果が経時的に低下するという不都合を招来する。
【０００５】
［発明の目的］
本発明は、このような不都合に着目して案出されたものであり、その目的は、コスト的な負担を軽減しつつ簡単な構造により曇りを長期間安定的に防止することができるミラー装置を提供することにある。
【課題を解決するための手段】
【０００６】
前記目的を達成するため、本発明は、鉛直方向に沿って表面が位置するミラー本体と、このミラー本体の上側に設けられた吐水部とを備え、
前記吐水部は、ミラー本体の表面に向かって水を吐出可能に設けられる、という構成を採っている。
【０００７】
本発明において、前記ミラー本体の外周に沿う位置には、吐水部に水を供給する管体が設けられる、という構成を採ることが好ましい。
【０００８】
また、前記吐水部は、ミラー本体の上端に沿う位置に所定間隔を隔てて複数設けられる、という構成を採用することができる。
【０００９】
更に、前記ミラー本体の下端側には、水受け部材が設けられ、この水受け部材は、ミラー本体の表面を流れた水を所定位置に排水可能に設けられる、という構成も好ましくは採用される。
【００１０】
また、前記ミラー本体は、所定の壁面に取付部を介して支持され、この取付部は、ミラー本体の外周側を保持するとともに、前記管体及び水受け部材に連なって設ける、という構成を採用してもよい。
【発明の効果】
【００１１】
本発明によれば、ミラー本体の表面に膜状に水を流して濡れた状態とし、ミラー本体の曇りを防止することができる。これにより、特許文献１に比べて電気的な設備だけでなく止水処理も省略でき、ランニングコストを抑制することが可能となる他、ミラー本体にかかるストレスも回避できる。また、特許文献２のようなメンテナンスを行わなくても、吐水部から水を流すだけで長期に亘って安定して曇りを防止することが可能となる。更には、例えば、ミラー装置の前で洗髪を行い、その泡が飛散した場合であっても、ミラー本体の表面に泡が付着し難く、また、付着しても膜状の水で直ぐに流されるため、当該表面を保護することも可能となる。
【００１２】
また、管体により吐水部に水を供給するので、構造の簡略化を図ることができる。しかも、管体がミラー本体の外周部に沿うので、当該管体をミラー本体の額縁のように形成してミラー本体を保護しつつ、意匠性を簡単に付与することが可能となる。
【００１３】
更に、複数の吐水部を設けることにより、ミラー本体の表面を満遍なく濡らすことができ、曇り防止効果を良好に得ることが可能となる。
【００１４】
また、ミラー本体の下端側に水受け部材を設けることにより、ミラー装置の下方において、意図しない場所が濡れることを回避でき、使い勝手を向上させることができる。
【００１５】
更に、管体及び水受け部材に取付部を連ねて設けたので、部品点数の削減を図ることができ、取り付け作業に伴う労力を軽減することが可能となる。
【発明を実施するための最良の形態】
【００１６】
以下、本発明の好ましい実施の形態について図面を参照しながら説明する。
なお、本明細書及び特許請求の範囲において、「水」とは、「湯水」をも含む概念として用いる。
【００１７】
［第１実施形態］
図１には、第１実施形態に係るミラー装置が適用された浴室の部分概略斜視図が示され、図２には、その正面図が示されている。これらの図において、浴室１０を形成する壁面１０Ａに、ミラー装置１１が装着されている。ミラー装置１１の下方位置には、洗面器等を置くスペースを上面に形成するカウンター１２が設けられ、このカウンター１２とミラー装置１１との間に、水栓１３が設けられている。
【００１８】
前記ミラー装置１１は、鉛直方向に沿って表面が位置するミラー本体１５と、このミラー本体１５の外周縁に沿う位置に設けられた管体１６と、この管体１６に形成された吐水部１７とを備えて構成されている。ミラー本体１５は、正面視縦長の長方形状に形成されるとともに、裏面側に設けられた取付手段１８（図３参照）を介して前記壁面１０Ａに取り付けられている。取付手段１８は、特に限定されるものでないが、公知の粘着テープ、接着剤或いは取付用の金具が用いられ、ここでは、詳細な説明を省略する。
【００１９】
前記管体１６は、ミラー本体１５の図２中左端に沿って位置する縦管部２０と、この縦管部２０の上端部に連通するとともに、ミラー本体１５の同図中上端に沿って位置する横管部２１とからなり、正面視下向きＬ字状に形成されている。縦管部２０の下側は、壁面１０Ａの裏側に位置する配水管２３に連通しており、当該配水管２３を介して管体１６内に水が供給される。配水管２３には、水栓等からなる図示しない操作手段が設けられ、この操作手段を介して配水管２３内の水流を操作可能に設けられている。また、配水管２３は、特に限定されるものでないが、本実施形態では、前記水栓１３から延びており、当該水栓１３には、給水及び給湯手段２４から水が供給されるようになっている。
【００２０】
前記吐水部１７は、前記横管部２１の下面側に複数形成された穴からなり、本実施形態では、図２中左右方向中央部及び左右両側の三箇所に所定間隔を隔てて形成されている。図３に示されるように、吐水部１７は、ミラー本体１５の上端部に沿って位置しており、管体１６内の水Ｗを下向きすなわちミラー本体１５の表面に向かって吐出可能に設けられている。
【００２１】
以上の構成において、配水管２３から管体１６内に水が供給されると、縦管部２０及び横管部２１内で水が図２中矢印Ａ方向に流れ、各吐水部１７からミラー本体１５の表面に向かって水Ｗが吐出される。これにより、ミラー本体１５の表面に膜状に水Ｗが流れ落ちて当該表面が常時濡れた状態となり、ミラー本体１５表面の曇りを防止できるようになっている。
【００２２】
従って、このような第１実施形態によれば、管体１６に形成した吐水部１７から水Ｗを吐出する簡単な構造により、曇り防止フィルムのような特別なメンテナンスを行うことなく、ミラー本体１５表面の曇りを長期間安定的に回避することができる。しかも、ミラー装置１０の使用時に、ミラー本体１５が濡れた状態となるので、仮にミラー本体１５に汚れが付着しても、水Ｗによって流れ落ちたり、当該汚れを目立ち難くすることが可能となる。
【００２３】
［第２実施形態］
次に、本発明の第２実施形態について説明する。なお、以下の説明において、前記第１実施形態と同一若しくは同等の構成部分については必要に応じて同一符号を用いるものとし、説明を省略若しくは簡略にする。
【００２４】
図４には、本発明の第２実施形態に係るミラー装置１１の概略縦断面図が示されている。この第２実施形態は、ミラー本体１５の下端側に水受け部材２７を設け、この水受け部材２７と横管部２１に取付部２８，２９をそれぞれ連ねて設けたものである。
【００２５】
前記水受け部材２７は、ミラー本体１５の下端に沿って延びるとともに、上方を開放する溝状に形成されている。水受け部材２７は、ミラー本体１５の表面に流れた水Ｗを受け入れ可能に設けられ、その延出方向一側若しくは両側に内部の水Ｗを排水可能に設けられている。
【００２６】
水受け部材２７に設けられた取付部２８は、水受け部材２７の下端部から略水平に延びてミラー本体１５の下端側が載置される載置面２８Ａと、この載置面の図４中右端側から起立するとともに、水受け部材２７とミラー本体１５を厚み方向に挟み込む起立面２８Ｂとを備えてミラー本体１５の下端側を保持可能に設けられている。また、横管部２１に設けられた取付部２９は、横管部２１の下面に連なって設けられ、ミラー本体１５の上端側を保持している。具体的には、ミラー本体１５の表面側に沿う表側垂下面２９Ａと、当該表側垂下面２９Ａとミラー本体１５を厚み方向に挟み込む裏側垂下面２９Ｂとを備えている。起立面２８Ｂ及び裏側垂下面２９Ｂには、壁面１０Ａにねじ込まれるねじ３０がそれぞれ貫通しており、各ねじ３０により取付部２８，２９が壁面１０Ａに取り付けられる。
【００２７】
以上の構成において、ミラー本体１５を壁面１０Ａに支持させる場合、ねじ３０を介して各取付部２８，２９を壁面１０Ａに取り付けた後、当該取付部２８，２９内にミラー本体１５を差し込むようにして保持させればよい。これにより、取付部２８，２９を介してミラー本体１５が壁面１０Ａに支持されると同時に、水受け部材２７及び管体１６の取り付けも完了する。
そして、管体１６内に水Ｗを供給すると、第１実施形態と同様に吐水部１７からミラー本体１５の表面に水が流れ、流れ落ちた水Ｗが水受け部材２７内に受け入れられた後、当該水受け部材２７の一端側若しくは他端側に排水される。
【００２８】
従って、このような第２実施形態によれば、ミラー本体１５を流れた水が当該ミラー本体１５の直下位置に流れ落ちることを防止でき、ミラー本体１５の下部が不用意に濡れることを回避することができる。また、取付部２８，２９を介してミラー本体１５だけでなく、管体１６や水受け部材２７も取り付けられるので、取り付け作業の効率化、迅速化を達成することが可能となる。
【００２９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３０】
例えば、ミラー本体１５の正面形状は、種々の変更が可能であり、略円形や略正方形、略多角形状としたり、図５に示されるように、正面視縦長の略楕円状に形成してもよい。
更に、管体１６の形成位置は、前記実施形態に位置に限られず、図５のようにミラー本体１５の外周に沿う位置に全体的に設けてもよい。これによれば、管体１６に多様な色彩を施すことで意匠性を付与したり、ミラー本体１５の端部をより良く保護することが可能となる。
また、図６に示されるように、ミラー本体１５の左右両端側に縦管部３２，３２をそれぞれ設けて管体１６を形成し、同図中矢印Ａ方向に水を流してもよい。同図において、各縦管部３２，３２は、その下端側がカウンター１２の裏側に延びるとともに、水受け部材２７の左右両側に連通しており、管体１６を流れて吐水部１７から吐出されなかった水や、水受け部材２７からの排水を同図中矢印Ｂ方向に流して、カウンター１２の裏側に排水することができるようになっている。なお、ミラー本体１５を流れ落ちた水をそのまま排水することなく、循環して配水管２３に送出するポンプ等の構造を更に採用してもよく、これによれば、曇り止めに要する水のランニングコストを削減することが可能となる。
更に、吐水部１７の形成位置及び形成数は、ミラー本体１５の形状等に応じて変更可能である。但し、ミラー本体１５の上端に沿って複数設けた方が、ミラー本体１５の曇り防止を全体的により良く達成できる点で有利となる。
また、前述の配水管２３に設けた操作手段に、ミラー本体１５の前に位置する利用者の有無を検知するセンサと、当該センサの検知信号を入力として吐水部１７から水を吐出する信号を出力する制御部とを含めた構成としてもよい。これによれば、利用者がミラー本体１５を利用しそうなときだけミラー本体１５に水を流し、それ以外のときには水の吐出を停止させることができ、ランニングコストを更に抑制可能となる。
【図面の簡単な説明】
【００３１】
【図１】第１実施形態に係るミラー装置が適用された浴室の部分概略斜視図。
【図２】図１の正面図。
【図３】ミラー装置の上部の部分縦断面図。
【図４】第２実施形態に係るミラー装置の概略縦断面図。
【図５】変形例に係る実施形態の図２と同様の正面図。
【図６】他の変形例に係る実施形態の図２と同様の正面図。
【符号の説明】
【００３２】
１１・・・ミラー装置、１５・・・ミラー装置、１６・・・管体、１７・・・吐水部、２７・・・水受け部材、２８，２９・・・取付部、Ｗ・・・水
【図１】
2007135664.tif 000003
【図２】
2007135664.tif 000004
【図３】
2007135664.tif 000005
【図４】
2007135664.tif 000006
【図５】
2007135664.tif 000007
【図６】
2007135664.tif 000008